(57)【要約】【課題】携帯電話等の電子機器を充分に保護し、且つ容易にケース外に放出させることなく持ち運び可能であり、利便性、生産性及び用途拡張性の高い収納ケースを提供する。【解決手段】二枚の高分子生地間にゴム層が介在してなる一及び二の素材２，３が平面視において同一形状を有して二枚重ね合わされ、一及び二の素材２，３の周縁部２ｒ，３ｒのうち開口部５となる非接合部６を除く接合部４が接合されていることを特徴とする。また、接合部４が縫着されていることを特徴とする。【選択図】図１
0003181997.tif 000002
【実用新案登録請求の範囲】
【請求項１】
二枚の高分子生地間にゴム層が介在してなる一及び二の素材が平面視において同一形状を有して二枚重ね合わされ、前記一及び二の素材の各周縁部のうち開口部となる非接合部を除く接合部が接合されていることを特徴とする収納ケース。
【請求項２】
前記接合部が縫着されていることを特徴とする請求項１に記載の収納ケース。
【請求項３】
前記高分子生地は、ポリエステルからなることを特徴とする請求項１又は２に記載の収納ケース。
【請求項４】
請求項３に記載の収納ケースの表面と裏面の一方又は両方の前記高分子生地に昇華転写によって画像が印刷されていることを特徴とする収納ケース。
【請求項５】
前記ゴム層は、ブタジエンゴムからなることを特徴とする請求項１〜４のうち何れか一項に記載の収納ケース。
【請求項６】
前記一及び二の素材はそれぞれ、前記高分子生地と前記ゴム層と前記高分子生地が熱プレスにより接合されてなることを特徴とする請求項１〜５のうち何れか一項に記載の収納ケース。
【請求項７】
前記一及び二の素材の外端縁から一定寸法内方に寄った位置であって、前記外端縁の延在方向の一定間隔おきに複数の糸の侵入部が設定され、
これらの前記侵入部と前記外端縁を含む前記一及び二の素材の周縁部とが糸によって拘束されていることを特徴とする請求項２〜６のうち何れか一項に記載の収納ケース。
【請求項８】
前記接合部の一部において前記一の素材と前記二の素材との間にループ状のテープが挟み込まれていることを特徴とする請求項１〜７のうち何れか一項に記載の収納ケース。
【考案の詳細な説明】
【技術分野】
【０００１】
本考案は、収納ケースに関する。
【背景技術】
【０００２】
一般に、携帯電話等の小型電子機器（以下、単に電子機器という）は、携帯者の衣類のポケット、カバン等、或いは、電子機器全体を覆うような収納ケースに収納された状態で持ち運ばれる。
【０００３】
上記収納ケースとしては、電子機器の形状や保護性を勘案して種々の形態のものが提案されており、例えば巾着袋やプラスチック製のケース、携帯者の腰のベルト等に一体化されて保持するものが挙げられる。
【考案の概要】
【考案が解決しようとする課題】
【０００４】
しかしながら、従来の収納ケースのうち巾着袋では、周縁部が袋縫い等の方法によりある程度の厚みを持って縫合され、収納された電子機器が袋の内部で動いてしまうため、電子機器の保護性が低下する虞があった。また、プラスチック製の収納ケースでは、取り出しやすさを優先して電子機器の一部を露出させているため、その露出部分が損傷を受け易いことに加えて、収納対象の電子機器が限定されるという問題があった。更に、携帯者の腰のベルト等に一体化されて保持する収納ケースでは、電子機器の落下等を防ぐために電子機器全体が皮の素材等で覆われていると、電子機器の取り出し及び収納に手間がかかる。その一方で、電子機器の取り出しや収納を容易にするために電子機器が部分的に前記素材等で覆われていると、電子機器の露出部分が傷つき易く保護しきれない問題があった。
【０００５】
本考案は、上記問題に鑑みてなされたものであり、携帯電話等の電子機器を充分に保護し、且つ容易にケース外に放出させることなく持ち運び可能であり、利便性、生産性及び用途拡張性の高い収納ケースの提供を課題とする。
【課題を解決するための手段】
【０００６】
請求項１に記載の考案は、二枚の高分子生地間にゴム層が介在してなる一及び二の素材が平面視において同一形状を有して二枚重ね合わされ、前記一及び二の素材の各周縁部のうち開口部となる非接合部を除く接合部が接合されていることを特徴とする収納ケースである。
本考案では、ゴム層により一及び二の素材に耐衝撃性、伸縮性が付与されると共に、ゴム層の両面の高分子生地により一及び二の素材に耐熱性と接触抵抗及び手触りの良さが付与される。従って、開口部から一及び二の素材との間に電子機器を挿入させたときに、外方からの衝撃が一及び二の素材により吸収される。また、電子機器の挿入前の形状に戻ろうとする一及び二の素材の反作用の力により、収納ケース内側の一及び二の素材が電子機器に常に当接して、容易にケース外に放出されない程度に電子機器が挟持固定されると共に開口部周辺の保護性が確保される。更に、高分子生地と電子機器との摩擦が少ないため、携帯者による開口部を介した電子機器の挿抜が円滑に行われる。更にまた、電子機器の大きさが多少変更されたとしても、前記一及び二の素材の反作用の力により、電子機器が挟持固定される際の固定度が保持される。
【０００７】
請求項２に記載の考案は、前記接合部が縫着されていることを特徴とする収納ケースである。
本考案では、一及び二の素材の各周縁部に縫合糸が食い込む又は貫通することにより、一及び二の素材の各周縁部が強固に接合される。
【０００８】
請求項３に記載の考案は、前記高分子生地がポリエステルからなることを特徴とする収納ケースである。
本考案では、一及び二の素材表面の伸縮性が向上する。
【０００９】
請求項４に記載の考案は、請求項３に記載の収納ケースの表面と裏面の一方又は両方の前記高分子生地に昇華転写によって画像が印刷されていることを特徴とする収納ケースである。
本考案では、昇華転写による画像印刷が行われる際に、高温下で高分子生地をなすポリエステルの分子鎖が緩んで昇華転写専用の染料が容易に入り込み、冷却後に前記分子鎖が閉じて前記染料が高分子生地に固着する。また、製版の必要が無いため、生産ロットの使用数が著しく減少する。
【００１０】
請求項５に記載の考案は、前記ゴム層がブタジエンゴムからなることを特徴とする収納ケースである。
本考案では、一及び二の素材表面の耐衝撃性、耐熱性、耐寒性、耐摩耗性、耐老化性及び機械強度が向上する。
【００１１】
請求項６に記載の考案は、前記一及び二の素材がそれぞれ、前記高分子生地と前記ゴム層と前記高分子生地が熱プレスにより接合されてなることを特徴とする収納ケースである。
本考案では、一及び二の素材における高分子生地とゴム層との接合度が容易に向上する。
【００１２】
請求項７に記載の考案は、前記一及び二の素材の外端縁から一定寸法内方に寄った位置であって、前記外端縁の延在方向の一定間隔おきに複数の糸の侵入部が設定され、これらの前記侵入部と前記外端縁を含む前記一及び二の素材の周縁部とが糸によって拘束されていることを特徴とする収納ケースである。
本考案では、糸が一及び二の素材の外端縁の延在方向の一定間隔おきに一及び二の素材が互いに厚み方向に強く引き寄せられ、且つ、一及び二の素材の外端縁に糸が食い込んで強固に接合固定される。
【００１３】
請求項８に記載の考案は、前記接合部の一部において前記一の素材と前記二の素材との間にループ状のテープが挟み込まれていることを特徴とする収納ケースである。
本考案では、収納ケースに金具やキーホルダー、アクセサリ等との連結部となるループ状のテープが備え付けられる。
【考案の効果】
【００１４】
本考案では、携帯電話等の電子機器を充分に保護し、且つ容易にケース外に放出させることなく持ち運び可能であり、利便性、用途拡張性及び生産性の高い収納ケースが提供される。
【図面の簡単な説明】
【００１５】
【図１】本考案の第一実施形態である収納ケースを示す正面図である。
【図２】本考案の第一実施形態である収納ケースを示す平面図である。
【図３】本考案の第一実施形態である収納ケースを示す図であって、（ａ）は図１に示すＱ領域の収納ケースの拡大図であり、（ｂ）は図１に示すＱ領域を収納ケースの背面側から見た拡大図であり、（ｃ）は図１に示すＱ領域を収納ケースの底面側から見た拡大図である。
【図４】本考案の第一実施形態である収納ケースに電子機器を収納した状態を示す平面図である。
【図５】本考案の第二実施形態である収納ケースを示す正面図である。
【図６】本考案の第三実施形態である収納ケースを示す正面図である。
【考案を実施するための形態】
【００１６】
以下、本考案の実施形態である収納ケースについて、図面を参照して説明する。
【００１７】
（第一実施形態）
図１と図２はそれぞれ、本考案の第１実施形態である収納ケース１を示す正面図と平面図である。図１に示すように、収納ケース１は、平面視において同一形状を有する一及び二の素材２，３が重ね合わされ、一及び二の素材２，３の周縁部２ｒ，３ｒのうち開口部５となる非接合部６を除く接合部４が接合されて構成されている。本実施形態の収納ケース１を構成する一及び二の素材２，３は、平面視において角丸長方形状を有している。このような角丸長方形状は、例えば携帯電話、携帯音楽プレーヤー、デジタルカメラ、電卓等の電子機器を収納する場合に適した形状である。
【００１８】
図２に示すように、一及び二の素材２，３はそれぞれ、二枚の高分子生地７の間にゴム層８が介在してなる三層構造を有するものである。一及び二の素材２，３のそれぞれにおいて、高分子生地７とゴム層８と高分子生地７は、例えば熱プレス等の接合方法により接合されている。
【００１９】
高分子生地７は、電子機器からの発熱や収納ケースの使用環境の温度を勘案して、耐熱性、接触抵抗、手触りの良さ等の優れた特性を有する素材であれば特に限定されない。これらの特性に加えて伸縮性に優れ、昇華転写等の印刷法により画像を印刷し易い点から、高分子生地７の好ましい材質としてはポリエステルが挙げられる。
ゴム層８は、一及び二の素材２，３の耐衝撃性、伸縮性等の優れた特性を有する素材であれば特に限定されない。これらの特性に加えて耐熱性、耐寒性、耐摩耗性、耐老化性及び機械強度に優れ、加工しやすい点から、ゴム層８の好ましい材質としてはブタジエンゴムが挙げられる。
【００２０】
収納ケース１の表面１ａと裏面１ｂの一方又は両方には、適当な印刷法により不図示の画像が印刷されていてもよい。このような印刷法としては、昇華転写、熱転写が挙げられるが、特にこれらの方法に限定されない。昇華転写は、専用の特殊な染料を熱によって気化させ、密着させた生地に染め込む画像の印刷法であり、細密な画像を印刷可能とする。前述のように、高分子生地７の材質としてポリエステルが用いられた場合は、昇華転写により収納ケース１の表面１ａと裏面１ｂの一方又は両方に画像を印刷する際に、加熱環境下でポリエステルの分子鎖が適度にゆるんで気化した染料が容易に受容されると共に、冷却後に前記分子鎖が閉じて前記染料が確実にトラップされるため、より一層細密で色鮮やかな画像が収納ケース１に印刷される。
【００２１】
図１に示すように、収納ケース１の接合部４は縫着されている。図３は、収納ケース１を示す図であって、（ａ）は図１に示すＱ領域の収納ケース１の拡大図であり、（ｂ）は図１に示すＱ領域を収納ケース１の背面（裏面１ｂ）側から見た拡大図であり、（ｃ）は図１に示すＱ領域を収納ケース１の底面側から見た拡大図である。図３に示すように、収納ケース１の接合部４は、二本の縫合糸（糸）１０，１１により縫い合わされている。
【００２２】
図３（ａ）に示すように、一の縫合糸（糸）１０は、一の素材２の外端縁２ｚから一定間隔内方へ入った位置で外端縁２ｚに沿って等間隔に設定された侵入部１２の一つである侵入部１２Ａに侵入する。図３（ｃ）に示すように、侵入部１２Ａに侵入した一の縫合糸１０は、一及び二の素材２，３の外端縁２ｚ，３ｚの境界１４付近まで一の素材２を貫通して折り返す際に係合部１５を形成する。折り返した後、一の縫合糸１０は、侵入部１２Ａから一の素材２の外側（即ち、収納ケース１の表面１ａ側）へ引き出され、一の素材２の外端縁２ｚまで延出し、一の素材２の外端縁２ｚを拘束しながら外端縁２ｚに沿って前進するＲ方向（延在方向）の次の侵入部１２Ｂへ向けてＶ字を描くように折り返して係合部１６を形成する。そして、一の縫合糸１０は、次の侵入部１２Ｂに侵入して上記説明した侵入部１２Ａに侵入した際と同様に進行する。このような一の縫合糸１０による縫合が、Ｒ方向に沿って一の素材２の侵入部１２に繰り返し施されている。
【００２３】
図３（ｂ）に示すように、二の縫合糸（糸）１１は、侵入部１２に対向して二の素材３の外端縁３ｚに沿って等間隔に設定された侵入部１３の一つである侵入部１３Ａに侵入する。図３（ｃ）に示すように、侵入部１３Ａに侵入した二の縫合糸１１は、境界１４付近まで二の素材３を貫通して折り返す際に一の縫合糸１０の係合部１５と交差係合する係合部１７を形成する。折り返した後、二の縫合糸１１は、侵入部１３Ａから二の素材３の外側（即ち、収納ケース１の裏面１ｂ側）へ引き出され、二の素材３の外端縁３ｚまで延出し、二の素材３の外端縁３ｚを拘束しながら外端縁３ｚに沿って前進するＲ方向の次の侵入部１３Ｂへ向けて逆Ｖ字を描くように折り返して一の縫合糸１０の係合部１６と交差係合する係合部１８を形成する。そして、二の縫合糸１１は、次の侵入部１３Ｂに侵入して上記説明した侵入部１３Ａに侵入した際と同様に進行する。このような二の縫合糸１１による縫合が、Ｒ方向に沿って二の素材３の侵入部１３に繰り返し施されている。
【００２４】
上記のような縫合方法では、図３（ｃ）に示すように、一及び二の縫合糸１０，１１によって侵入部１２，１３と一及び二の素材２，３の外端縁２ｚ，３ｚを含む周縁部２ｒ，３ｒとが拘束されている。これにより、周縁部２ｒ，３ｒのＲ方向の一定間隔おきに一及び二の素材２，３が互いに厚み方向に強く引き寄せられ、且つ、周縁部２ｒ，３ｒに一及び二の縫合糸１０，１１が食い込んで一及び二の素材２，３が強固に接合固定される。
【００２５】
図１に示すように、接合部４の外端縁４ｚに沿った方向の両端４Ｅは、開口部５を介して不図示の電子機器が挿抜されたときに一の素材２と二の素材３とを離間させる方向に最も大きく負荷がかかる箇所である。そのため、接合部４の外端縁４ｚに沿った方向の両端４Ｅでは、一及び二の縫合糸１０，１１が接合部４の外端縁４ｚと外端縁４ｚから一定間隔内方へ入った位置との間に重ねて縫合されており、一及び二の素材２，３の接合度が高められている。
【００２６】
また、図１及び図２に示すように、収納ケース１の接合部４の一部には、ループ状のテープ２０が一の素材２の周縁部２ｒと二の素材３の周縁部３ｒとの間に挟み込まれている。具体的には、図２に示すように、ナイロン等の適当な生地が収納ケース１の上面方向から見たときにループ状になるように折り曲げられており、その基端部が周縁部２ｒ，３ｒの間に挟みこまれて縫合されている。
【００２７】
テープ２０は、収納ケース１に所望の金具やキーホルダー、アクセサリ等の付属部品を装着する際の収納ケース１と該付属部品との連結部となる。
【００２８】
収納ケース１の接合部４が上記のように一及び二の縫合糸１０，１１により縫合されている場合は、侵入部１２に侵入した一の縫合糸１０と侵入部１２に対向する侵入部１３に侵入した二の縫合糸１１は、テープ２０を貫通して、テープ２０の内部又は表面近傍において、係合部１５，１７が係合されている。また、テープ２０が挟み込まれている侵入部１２から一の素材２の外側へ引き出された一の縫合糸１０と、侵入部１２に対向する侵入部１３から二の素材３の外側へ引き出された二の縫合糸１１がそれぞれ、接合部４の外端縁４ｚに沿った方向の次の侵入部１２，１３へ向けて延出する際にテープ２０を貫通する。そして、テープ２０の内部又は表面近傍において、係合部１６，１８が係合されている。このような縫合により、テープ２０は収納ケース１と一体化して強固に装着されている。
【００２９】
図４は、収納ケース１に電子機器５０を挿入した状態を示す平面図である。図４に示すように、収納ケース１のうち一の素材２と二の素材３とが接合されていない非接合部６の開口部５から電子機器５０が挿入又は抜出される際には、一の素材２及び二の素材３の開口部５側の高分子生地７が電子機器５０と接触する。高分子生地７は接触抵抗が低いため、高分子生地７と電子機器５０との摩擦が殆どなく、電子機器５０の挿抜が極めて円滑に行われる。また、高分子生地７は耐熱性に優れており、電子機器５０からの発熱を適度に吸収するため、収納ケース１の劣化が抑えられる。更に、高分子生地７は手触りの良さにも優れているため、携帯者が手に違和感を覚えることなく収納ケース１を持ち歩くことが可能である。
【００３０】
また、電子機器５０は高分子生地７を介して一及び二の素材２，３のゴム層８に挟まれている。ゴム層８は耐衝撃性に優れているため、収納ケース１の外方からの衝撃がゴム層８に吸収され、電子機器５０が保護される。
【００３１】
更に、高分子生地７及びゴム層８からなる一及び二の素材２，３は伸縮性に優れており、図４に示す形状から電子機器５０の挿入前の形状に戻ろうとする反作用の力がＤ１，Ｄ２方向に働く。これにより、開口部５側の一及び二の素材２，３が電子機器５０に常に当接して、容易に収納ケース１の外方に放出されない程度に電子機器５０が挟持固定される。また、図４に示すように、非接合部６の一及び二の素材２，３の外端縁２ｚ，３ｚが接近するように一及び二の素材２，３の反作用の力がＤ１，Ｄ２方向に働き、開口部５周辺の電子機器５０の保護性も確保される。
【００３２】
電子機器５０としては、携帯電話、携帯音楽プレーヤー、デジタルカメラ、電卓の他にも、電子辞書や小型コンピュータ等が挙げられるが、特に限定されない。前述のように一及び二の素材２，３の適度な伸縮性及び反作用の力により挟持固定される際の固定度により、同一の収納ケース１において、収納対象の電子機器５０の機種等の変更により電子機器５０の大きさが多少変更されても、収納ケース１の電子機器５０に対する固定度が保持される。
【００３３】
以上説明したように、本実施形態の収納ケース１では、収納対象の電子機器５０全体を外方からの衝撃等から充分に保護することができる。また、開口部５を介した電子機器５０の挿抜が円滑であると共に、一及び二の素材２，３を電子機器５０にフィットさせて収納された電子機器５０を収納ケース１から容易にケース外に放出させないため、収納ケース１の利便性、用途拡張性を向上させることができる。収納ケース１を構成する一及び二の素材２，３は切断や熱プレス等の加工にも適しており、収納ケース１の生産性を向上させることもできる。更に、一及び二の素材２，３を用いて構成することにより、収納対象の電子機器５０の種類や形状の変更に対して柔軟に対応し、上記の効果が発揮される。更に、本実施形態の収納ケース１には、一及び二の素材２，３の間にテープ２０等の付属物を容易に挟むことができ、この付属物に所望の付属部品を装着することにより収納ケース１の用途をより拡張することができる。
【００３４】
また、収納ケース１の表面１ａ及び裏面１ｂを構成する高分子生地７には、画像等の印刷加工が容易である。表面１ａ及び裏面１ｂへの画像の印刷により、収納ケース１に所望のマークや写真等を容易に付すことができる。このように本実施形態の収納ケース１はデザイン性に優れており、携帯者オリジナルの収納ケースとなる。特にポリエステルからなる高分子生地７は昇華印刷に適しており、収納ケース１の表面１ａ及び裏面１ｂに発色性及び耐久性に優れた画像が印刷される。また、昇華転写では製版を行う必要が無いため、生産ロットの使用数を著しく減少させて収納ケース１の生産性をより向上させることができる。
【００３５】
（第二実施形態）
図５は、本考案の第二実施形態である収納ケース２５を示す正面図である。なお、図５に示す本実施形態の収納ケース２５の構成要素において、図１に示す第一実施形態の収納ケース１の構成要素と同一の構成要素については、同一の符号を付し、その説明を省略する。図５における符号２５ａ，２５ｂはそれぞれ、収納ケース２５の表面と裏面を示す。図５に示すように、本実施形態の収納ケース２５を構成する一及び二の素材２，３は、平面視においてＴシャツ形状を有している。
【００３６】
本実施形態の収納ケース２５では、一及び二の素材２，３の平面視形状を変更することにより、例えば収納ケース２５の表面２５ａと裏面２５ｂの一方又は両方にスポーツチーム単位等で所望のマークや画像を施したオリジナルの収納ケースが提供される。
【００３７】
（第三実施形態）
図６は、本考案の第三実施形態である収納ケース３０を示す正面図である。なお、図６に示す本実施形態の収納ケース３０の構成要素において、図１に示す第一実施形態の収納ケース１の構成要素と同一の構成要素については、同一の符号を付し、その説明を省略する。なお、図６における符号３０ａ，３０ｂはそれぞれ、収納ケース３０の表面と裏面を示す。図６に示すように、本実施形態の収納ケース３０を構成する一の素材２の一部には、ハート型等の所望の平面視形状を有する切抜部３１が形成されている。切抜部３１は、切抜部３１周囲における一の素材２のゴム層８で収納対象の電子機器５０が保護される程度の大きさ、形状を有している。
【００３８】
本実施形態の収納ケース３０では、一及び二の素材２，３の一方又は両方に切抜部３１を設けることにより、オリジナル性の高い収納ケースが提供される。
【００３９】
その他、本考案の趣旨を逸脱しない範囲で、上記の実施形態における構成要素を周知の構成要素に置き換えることは適宜可能である。
【符号の説明】
【００４０】
１，２５，３０  収納ケース
１ａ  表面
１ｂ  裏面
２  一の素材
２ｒ，３ｒ  周縁部
２ｚ，３ｚ，４ｚ  外端縁
３  二の素材
４  接合部
５  開口部
６  非接合部
７  高分子生地
８  ゴム層
１０  一の縫合糸（糸）
１１  二の縫合糸（糸）
１２，１２Ａ，１３，１３Ａ  侵入部
２０  テープ
【図１】
0003181997.tif 000003
【図２】
0003181997.tif 000004
【図３】
0003181997.tif 000005
【図４】
0003181997.tif 000006
【図５】
0003181997.tif 000007
【図６】
0003181997.tif 000008